【手続補正書】
【提出日】平成22年4月9日(2010.4.9)
【手続補正１】
【補正対象書類名】明細書
【補正対象項目名】００２８
【補正方法】変更
【補正の内容】
【００２８】
左方向基準レジスタマークＭＢ３および右方向基準レジスタマークＭＢ４は、印刷物１００の天地方向に延びる幅Ｈ１のブラックのライン（色面部（面積率１００％））Ｌ１と、このラインＬ１の左方向側に接する幅Ｈ２の空白部Ｌ２とを１つの組合せとし、このラインＬ１と空白部Ｌ２の組合せを左右方向に４つ並べた構成とされている。
【手続補正２】
【補正対象書類名】明細書
【補正対象項目名】００５６
【補正方法】変更
【補正の内容】
【００５６】
後述する実施の形態では、対象範囲Ｓ２の赤色画像の画素値の合計ＧＢから位置ずれが生じていない時の「５０」を差し引き、残りの「０」〜「２５」の変化からブラックとシアンとの間の地方向の色間見当誤差量を求める。
また、後述する実施の形態において、位置ずれが生じていない時のＧＢの値は、天方向基準レジスタマークＭＢ１および地方向基準レジスタマークＭＢ２とは別にブラックの天地方向用基準レジスタマークＭＢ１２（図７参照）を印刷物１００に独立して印刷するものとし、この天地方向用基準レジスタマークＭＢ１２から求めるようにする。
【手続補正３】
【補正対象書類名】明細書
【補正対象項目名】００７６
【補正方法】変更
【補正の内容】
【００７６】
なお、上述した例では、天方向基準レジスタマークＭＢ１のラインＬ１の長さと天方向位置ずれ検出用レジスタマークＭＣ１のラインＬ３の長さと同じとしたが、天方向位置ずれ検出用レジスタマークＭＣ１のラインＬ３を天方向基準レジスタマークＭＢ１のラインＬ１の長さよりも短くしたり、天方向位置ずれ検出用レジスタマークＭＣ１のラインＬ３を天方向基準レジスタマークＭＢ１のラインＬ１の長さよりも長くしたりしてもよい。また、天方向基準レジスタマークＭＢ１のラインＬ１と天方向位置ずれ検出用レジスタマークＭＣ１のラインＬ３の長さを同じとしたままで、左右方向にずらした位置に印刷するようにしてもよい。また、天方向位置ずれ検出用レジスタマークＭＣ１の幅Ｈ３の色面部をライン（直線）ではなく、円形としたりするなど、その色面部の形状を変えるようにしてもよい。地方向基準レジスタマークＭＢ２と地方向位置ずれ検出用レジスタマークＭＣ２との関係、左方向基準レジスタマークＭＢ３と左方向位置ずれ検出用レジスタマークＭＣ３との関係、右方向基準レジスタマークＭＢ４と右方向位置ずれ検出用レジスタマークＭＣ４との関係についても、天方向基準レジスタマークＭＢ１と天方向位置ずれ検出用レジスタマークＭＣ１との関係と同様、種々の形態が考えられる。
【手続補正４】
【補正対象書類名】明細書
【補正対象項目名】００７７
【補正方法】変更
【補正の内容】
【００７７】
また、上述した例では、天方向基準レジスタマークＭＢ１のラインＬ１の天方向側の縁を目標位置とし、このラインＬ１の天方向側の縁に天方向位置ずれ検出用レジスタマークＭＣ１のラインＬ３の天方向側の縁が重なるように印刷するものとしたが、必ずしも縁と縁とが重なる位置を目標位置としなくてもよい。例えば、天地方向位置ずれ検出用レジスタマークＭＣ１が天方向基準レジスタマークＭＢ１から０．０５ｍｍはみ出した位置を目標位置としてもよい。縁と縁とが重なる位置を目標位置とすることにより、天方向基準レジスタマークＭＢ１のラインＬ１の天方向側の縁を基点として、ブラックとシアンとの間の天方向の位置ずれをより正確かつ広範囲に測定することができる。地方向基準レジスタマークＭＢ２と地方向位置ずれ検出用レジスタマークＭＣ２との関係、左方向基準レジスタマークＭＢ３と左方向位置ずれ検出用レジスタマークＭＣ３との関係、右方向基準レジスタマークＭＢ４と右方向位置ずれ検出用レジスタマークＭＣ４との関係についても、同様のことが言える。
【手続補正５】
【補正対象書類名】明細書
【補正対象項目名】０１３８
【補正方法】変更
【補正の内容】
【０１３８】
次に、ＣＰＵ１は、シアンの右方向用レジスタマークＭＣ４が重ねて印刷された右方向基準レジスタマークＭＢ４の対象範囲ＳのＲ被検査画像の画素値の合計（シアンの右方向用レジスタマークのＲ値）をメモリＭ２２から読み出し（ステップ３３６）、ブラックの左右方向用基準レジスタマークＭＢ３４の対象範囲ＳのＲ被検査画像の画素値の合計（ブラックの左右方向用基準レジスタマークのＲ値）をメモリＭ８から読み出し（ステップ３３７）、メモリＭ２２から読み出した値からメモリＭ８から読み出した値を差し引いてシアンの右方向用レジスタマークのＲ値の差を求め、このＲ値の差をメモリＭ４８に記憶する（ステップ３３８）。
【手続補正６】
【補正対象書類名】明細書
【補正対象項目名】０１４０
【補正方法】変更
【補正の内容】
【０１４０】
〔シアンの天地方向の見当誤差量の算出〕
次に、ＣＰＵ１は、シアンの天方向用レジスタマークＭＣ１が重ねて印刷された天方向基準レジスタマークＭＢ１の対象範囲ＳのＲ被検査画像の画素値の合計（シアンの天方向用レジスタマークのＲ値）をメモリＭ２４から読み出し（図３７：ステップ３４３）、ブラックの天地方向用基準レジスタマークＭＢ１２の対象範囲ＳのＲ被検査画像の画素値の合計（ブラックの天地方向用基準レジスタマークのＲ値）をメモリＭ１４から読み出し（ステップ３４４）、メモリＭ２４から読み出した値からメモリＭ１４から読み出した値を差し引いてシアンの天方向用レジスタマークのＲ値の差を求め、このＲ値の差をメモリＭ５０に記憶する（ステップ３４５）。
【手続補正７】
【補正対象書類名】明細書
【補正対象項目名】０１６１
【補正方法】変更
【補正の内容】
【０１６１】
〔マゼンタ印刷ユニットの見当位置の調整〕
また、ＣＰＵ１は、図４２に示したステップ４１３〜４２６に対応するステップ４６９〜４８２（図４６）の処理を実行することによって、マゼンタ印刷ユニットの左方向見当誤差量を調整し、図４３に示したステップ４２９〜４４０に対応するステップ４８５〜４９６（図４７）の処理を実行することによって、マゼンタ印刷ユニットの右方向見当誤差量を調整する。また、図４４に示したステップ４４１〜４５４に対応するステップ４９７〜５１０（図４８）の処理を実行することによって、マゼンタ印刷ユニットの天方向見当誤差量を調整し、図４５に示したステップ４５７〜４６８に対応するステップ５１３〜５２４（図４９）の処理を実行することによって、マゼンタ印刷ユニットの地方向見当誤差量を調整する。
【手続補正８】
【補正対象書類名】明細書
【補正対象項目名】０２００
【補正方法】変更
【補正の内容】
【０２００】
〔印刷品質の評価〕
次に、ＣＰＵ１は、被検査印刷物の印刷品質の評価を行う。この被検査印刷物の印刷品質の評価は次のようにして行う。
先ず、ＲＧＢ画像データ用ＮＧ画素カウント値記憶用のメモリＭ１０８，Ｍ１０９，Ｍ１１０の値を０とし（図１０６：ステップ１３９１）、カウント値Ｍを１（ステップ１３９２）、カウント値Ｎを１とする（ステップ１３９３）。
【手続補正９】
【補正対象書類名】明細書
【補正対象項目名】０２３６
【補正方法】変更
【補正の内容】
【０２３６】
分光計１９の天地方向の現在位置がＢＣＹよりも大きければ（ステップ１４８のＮＯ）、天地方向移動用モータドライバ２１に逆転指令を送り（ステップ１５５）、分光計の天地方向の現在位置測定用カウンタ２３のカウンタの値から分光計１９の天地方向の現在位置を求め（ステップ１５６、１５７）、分光計１９の天地方向の現在位置がＢＣＹと合致した時点で（ステップ１５９のＹＥＳ）、天地方向移動用モータドライバ２１への逆転指令の出力を停止する（ステップ１６０）。
【手続補正１０】
【補正対象書類名】明細書
【補正対象項目名】０２４２
【補正方法】変更
【補正の内容】
【０２４２】
〔左方向基準レジスタマーク＋シアンの左方向用レジスタマークの対象範囲のシアンの色成分の濃淡情報の取得〕
次に、ＣＰＵ１は、分光計の天地方向の現在位置測定用カウンタ２３のカウンタの値を読み取り（ステップ１８０）、その値より分光計１９の天地方向の現在位置を求める（ステップ１８１）。そして、メモリＭ１４からシアンの左方向用レジスタマークＭＣ３の天地方向のマーク位置ＣＬＹを読み出し（ステップ１８２）、図１２０〜図１２３に示したステップ１０５〜１４０に対応するステップ１８３〜２１６（図１２６〜図１２９）の処理を行い、シアンの左方向用レジスタマークＭＣ３が重ねて印刷された左方向基準レジスタマークＭＢ３の対象範囲Ｓのシアンの濃度値を演算し、この濃度値をその対象範囲Ｓのシアンの色成分の濃淡情報としてメモリＭ１５に格納する。